(57)【要約】【課題】  本発明が解決しようとする課題は、比較的簡単な構成で、受光素子に入射される光の導光を妨げない導光部材を提供することである。【解決手段】  受光素子に光を導く円筒状の本体部と、外装カバーに取付け可能とする腕部が形成され、前記腕部は装置に取り付けられる際に、前記本体部と前記腕部が水平になるように取り付けられる導光部材とする。【選択図】  図３
2014164086.tif 000002
【特許請求の範囲】
【請求項１】
受光素子に光を導く円筒状の本体部と、
外装部に取付け可能とする腕部が形成され、
前記腕部は装置に取り付けられる際に、前記本体部と前記腕部が装置の使用方向に対して水平になるように取り付けられる導光部材。
【請求項２】
前記導光部材を備えることを特徴とする請求項１に記載の電子機器。
【請求項３】
被写体を撮像する撮像部を有する本体部と、
撮像した画像を表示する表示手段を有する表示部と、
前記本体部に対して前記表示部を開閉可能とする開閉軸および回動可能とする回転軸を備えるヒンジ部と、
前記表示部に備えられた受光素子と、
前記表示部の外装部に取付けられ、受光素子に光を導く窓部を備える撮像装置において
受光素子に光を導く円筒状の本体部と、
外装部に取付け可能とする腕部が形成され、
前記腕部は装置に取り付けられる際に、前記本体部と前記腕部が水平になるように取り付けられることを特徴とする電子機器。
【請求項４】
前記受光素子は表示部の明るさを周囲光に合わせて調整するための照度センサーであることを特徴とする請求項３に記載の電子機器。
【請求項５】
リモコン受信用の受光素子に光を導く円筒状の本体部と、
外装部に取付け可能とする腕部が形成され、
前記腕部は装置に取り付けられる際に、前記本体部と前記腕部が装置の使用方向に対して垂直になるように取り付けられる第２の導光部材を有することを特徴とする請求項４に記載の電子機器。
【請求項６】
前記本体部は透明部材で形成されることを特徴とする請求項３ないし５の何れか１項に記載の電子機器。
【発明の詳細な説明】
【技術分野】
【０００１】
本発明は表示部の明るさを周囲光にあわせて調整することを可能とする電子機器に関するものである。
【背景技術】
【０００２】
従来、特許文献１に示すようにテレビジョン受像機など種々の機器を遠隔操作するのに赤外線リモートコントロール装置が使用されている。赤外線リモコン信号受信装置は、この赤外線リモートコントロール装置から出力される赤外線リモコン信号を、テレビジョン受像機の前面に設けた導光部材からその内部に設けられた受光ダイオード等の受光素子で受信する。また、従来、テレビジョン受像機等種々の機器に搭載されたディスプレイの明るさを周囲光にあわせて調整するために照度センサーが使用されている。照度センサーの場合にも、太陽光や蛍光灯等の周囲光は、ディスプレイの前面に設けた導光部材からその内部に設けられた受光ダイオード等の受光素子に受光される。このように、受光素子に効率よく信号及び周囲光を導くために導光部材が設けられている。
【先行技術文献】
【特許文献】
【０００３】
【特許文献１】特願２００３−６２４２４号公報
【発明の概要】
【発明が解決しようとする課題】
【０００４】
しかしながら、上記特許文献１に開示された構成では、太陽光や蛍光灯等の光源から入射した全ての光を受光素子に集光するための円筒状の導光部材に、キャビネットに固定するための取付部が全周に形成されている。そのため、光源から入射した光が取付部の形状により反射されることなく拡散し導光の効率が下がるという不都合があった。
【０００５】
そこで、本発明が解決しようとする目的は、比較的簡単な構成で、受光素子に入射される光の導光を妨げない導光部材を提供することである。
【課題を解決するための手段】
【０００６】
上記課題を解決するために、本願発明の導光部材は、受光素子に光を導く略円筒状の本体部と、外装カバーに取付け可能とする腕部が形成され、前記腕部は装置に取り付けられる際に、前記本体部と前記腕部が装置の使用方向に対して水平になるように取り付けられる。
【発明の効果】
【０００７】
以上説明したように、本発明によれば、簡単な構成で、受光素子に入射される光の導光を妨げない導光部材を提供することが可能である。
【図面の簡単な説明】
【０００８】
【図１】（ａ）本実施形態に係るデジタルビデオカメラの斜視図である。（ｂ）表示装置部が開状態のデジタルビデオカメラの斜視図である。（ｃ）表示装置部が反転収納状態のデジタルビデオカメラの斜視図である。
【図２】表示装置部を示す分解斜視図である。
【図３】導光窓部とヒンジ部の関係を示す平面図である。
【図４】導光窓部を外装カバーに取付けた状態を示す斜視図である。
【図５】（ａ）図３におけるリモコン窓部の直線ＡＢによる断面図である。（ｂ）図３におけるリモコン窓部の直線ＣＤによる断面図である。
【発明を実施するための形態】
【０００９】
以下、本発明の実施の形態について、添付図面を参照して詳細に説明する。ここでは、本実施形態に係る導光部材の構造を、電子機器の一例であるデジタルビデオカメラ（撮像装置）に適用した場合を取り上げることとする。
【００１０】
＜デジタルビデオカメラの全体構成＞
図１（ａ）〜（ｃ）はそれぞれ、本実施形態に係るデジタルビデオカメラ（撮像装置）の斜視図である。
【００１１】
デジタルビデオカメラは、本体部１と表示装置部２（表示部）を備えている。本体部１は、被写体を撮像するためのレンズや撮像した画像を電気信号に変換するセンサ（撮像部）等を含む筐体である。表示装置部２は、撮像する画像や撮像した画像を表示する。ヒンジ部３は本体部１と表示装置部２を２軸周りに回動可能に結合する。表示装置部２は、本体部１に対して開閉可能および回動可能であり、図１（ａ）に示す閉状態、図１（ｂ）に示す開状態、図１（ｃ）に示す反転収納状態となる。
【００１２】
表示装置部２の図１（ｂ）に示す開状態は、図１（ａ）に示す閉状態からヒンジ部３をヒンジ開閉軸３ｃを軸に９０°回転させ表示装置部２を露出させた状態である。また、表示装置部２の図１（ｃ）に示す反転収納状態は、図１（ｂ）に示す開状態からヒンジ部３をヒンジ回転軸３ａを軸に１８０°回転させ、ヒンジ部３をヒンジ開閉軸３ｃを軸に９０°回転させて表示装置部２を露出させた状態とする。三脚５は、本体部１の底面に配置される三脚ねじ部（図示しない）に取り付けられるアクセサリである。
【００１３】
図２は表示装置部２の分解斜視図である。
【００１４】
表示装置部２は、センサーフレキシブル基板６、表示基板７、ディスプレイ８、タッチパネル９、外装カバー１０、照度センサー１１、およびリモコンセンサー１６を有している。
【００１５】
ディスプレイ８は、撮像した画像を表示するための有機ＥＬディスプレイである。タッチパネル９は、画面上の表示を押すことで機器を操作可能とする。表示基板７は、タッチパネル９、タッチパネル９を固定する外装カバー１０（外装部）、ディスプレイ８とタッチパネル９等を制御するＣＰＵ（不図示）を搭載する。センサーフレキシブル基板６は、表示基板７に電気的に接続され、照度センサー１１（受光素子）とリモコンセンサー１６（リモコン受信用の受光素子）を有する。照度センサー１１は、ディスプレイ８の明るさを周囲光にあわせて調整する。リモコンセンサー１６は、撮像装置を遠隔操作するための赤外線リモコン信号を受光する。
【００１６】
なお前述のＣＰＵにより、照度センサー１１の検出結果に応じてディスプレイ８の明るさを制御する技術については、公知の技術であるため詳細な説明は省略する。また、表示装置部２は、導光部材１２とリモコン窓部材１５（第２の導光部材）を備えている。導光部材１２は、外装カバー１０の開口部１０ａに挿入されることにより、照度センサー１１に太陽光や蛍光灯等の周囲光を導く。リモコン窓部材１５は、外装カバー１０の開口部１０ｂに挿入されることにより、リモコンセンサー１６に赤外線リモコン信号を導く。
【００１７】
図３は導光部材１２とヒンジ部３の関係を示す平面図である。図４は導光部材１２およびリモコン窓部材１５を外装カバー１０に取付けた状態を示す斜視図である。図５（ａ）は、図３における導光部材１２の直線ＡＢによる断面図である。図５（ｂ）は、図３における導光部材１２の直線ＣＤによる断面図である。
【００１８】
導光部材１２はポリカーボネートやアクリル等の透過性の高い樹脂（透明部材）より成る。導光部材１２は、略円筒状の本体前部１２ａ、固定腕部１２ｄが設けられる本体中部１２ｂ、そして照度センサー１１に近接する本体後部１２ｃを備えている。本体中部１２ｂは、ヒンジ回転軸３ａと平行な平行線３ｂと垂直方向に位置するＹ１、Ｙ２部を略円筒形状とし、平行線３ｂ上に位置するＸ１、Ｘ２部に腕が伸びる固定腕部１２ｄが形成されている。なお、回転軸３ａはデジタルビデオカメラの使用方向（正位置）に対して水平方向であり、回転軸３ｂはデジタルビデオカメラの使用方向（正位置）に対して垂直方向である。
【００１９】
図４に示すように導光部材１２は本体前部１２ａを開口部１０ａに、本体後部１２ｃがリモコン窓部材１５の開口部１５ｄ挿通した状態で仮保持される。その後、リモコン窓部材１５と共に固定腕部１２ｄを外装カバー１０に溶着もしくはビス止めされることにより固定装着される。一方でリモコン窓部材１５はリモコン装置からの赤外光を受けたいため、なるべく太陽光を受光したくない。そのため、リモコン窓部材１５の腕部は導光部材１２の腕部と直交するように配置され、外装部に固定される。
【００２０】
表示装置部２が図１（ｂ）に示す開状態もしくは図１（ｃ）に示す反転収納状態の場合の、導光部材１２の集光状態を、図５（ａ）に示すように、導光部材１２の直線ＡＢによる断面図を用いて説明をする。
【００２１】
光源１３は太陽もしくは室内であれば蛍光灯などの光源である。デジタルビデオカメラが三脚５に固定されている状態、もしくは撮影者の手で把持されている状態であれば、光源１３は常に上方（Ａ方向）から光を照射し、入射光１４として導光部材１２に入射する。導光部材１２に入射光１４が入射した場合、入射光１４は導光部材１２の本体前部１２ａから本体後部１２ｃまでの略円筒形状により反射され、照度センサー１１に導光される。従って、入射光１４は入射光量が減ることなく照度センサー１１に到達する。その結果照度センサー１１は入射光量に正確に反応して動作する。
【００２２】
また、図５（ｂ）に示すように、図３における導光部材１２の直線ＣＤによる断面図を用いて説明をする。光源１３は常に上方（Ａ方向）から光を照射し導光部材１２に入射光１４として入射する。導光部材１２に入射光１４が入射した場合、入射光１４は導光部材１２の本体前部１２ａから本体後部１２ｃまで直進し、照度センサー１１に導光される。
このように、比較的簡単な構成で、照度センサー１１に入射される光の導光を妨げない導光部材を提供することが可能である。
【００２３】
本発明の導光部材１２は、デジタルビデオカメラに用いたが、他の電子機器に用いてもよい。たとえばデジタル一眼レフカメラ、コンパクトデジタルカメラ、タブレット端末、スマートフォン、ゲーム機端末、携帯機器に搭載可能である。
【符号の説明】
【００２４】
１２  導光部材
１２ｄ  固定腕部
【図１】
2014164086.tif 000003
【図２】
2014164086.tif 000004
【図３】
2014164086.tif 000005
【図４】
2014164086.tif 000006
【図５】
2014164086.tif 000007